【手続補正書】
【提出日】平成29年12月7日(2017.12.7)
【手続補正１】
【補正対象書類名】特許請求の範囲
【補正対象項目名】全文
【補正方法】変更
【補正の内容】
【特許請求の範囲】
【請求項１】
楽曲データに基づいて打楽器の自動演奏を行なう打楽器の自動演奏装置において、
打楽器の発音部を打撃して発音させる打撃手段と、
この打撃手段を駆動させて前記発音部を打撃させる駆動手段と、
前記楽曲データに基づいて前記駆動手段へ駆動指令信号を出力する制御手段と、
前記制御手段から出力される前記駆動指令信号にＯＮ／ＯＦＦの時間間隔を付与するゲートタイムの付与手段と、
を有することを特徴とする打楽器の自動演奏装置。
【請求項２】
前記打撃手段による前記発音部への打撃力が一定に維持されていることを特徴とする請求項１に記載の打楽器の自動演奏装置。
【請求項３】
前記打撃力に関する出力値の変化に対応させて前記ゲートタイムを変化させるゲートタイム調整手段を有することを特徴とする請求項１に記載の打楽器の自動演奏装置。
【請求項４】
前記打撃手段を、前記駆動手段とは別の復帰手段によりに復帰させることを特徴とする請求項１〜３のいずれかに記載の打楽器の自動演奏装置。
【請求項５】
前記打撃手段は、基部で支軸によって回動自在に支持されているとともに回動動作がガイドによって案内され、前記駆動手段は、前記支軸よりも先端側で前記打撃手段を前記発音部に向けて押すものであることを特徴とする請求項１〜４のいずれかに記載の打楽器の自動演奏装置。
【請求項６】
前記駆動手段を前記打撃手段の複数箇所に設けたことを特徴とする請求項１〜５のいずれかに記載の打楽器の自動演奏装置。
【請求項７】
複数の前記駆動手段のうち少なくとも一つの前記駆動手段の駆動開始時間が相対的に他の前記駆動手段の駆動開始時間よりも早くなるように、各前記駆動手段の駆動タイミングを調整する駆動タイミング調整手段を設けたことを特徴とする請求項６に記載の打楽器の自動演奏装置。
【請求項８】
前記駆動手段の位置を調整自在に設けたことを特徴とする請求項１〜７のいずれかに記載の打楽器の自動演奏装置。
【請求項９】
前記楽曲データに基づく前記打楽器の楽曲の早さと前記制御手段の音符の分解精度との比に、前記打楽器ごとの種類に応じて設定された設定値を積算することで、前記ゲートタイムを求めるゲートタイム演算手段を有することを特徴とする請求項１〜８のいずれかに記載の打楽器の自動演奏装置。
【請求項１０】
楽曲データに基づいて打楽器の自動演奏を行なう打楽器の演奏方法において、
打楽器の発音部を打撃して発音させる打撃手段と、この打撃手段を駆動させて前記発音部を打撃させる駆動手段と、前記前記楽曲データに基づいて前記駆動手段へ駆動指令信号を出力する制御手段とを準備し、
前記制御手段から出力される前記駆動指令信号にＯＮ／ＯＦＦの時間間隔を付与することで、前記発音部からの発音を調整すること、
を特徴とする打楽器の自動演奏方法。
【請求項１１】
前記打撃手段による前記発音部への打撃力を一定に維持したままでＯＮ／ＯＦＦの時間間隔を付与することを特徴とする請求項１０に記載の打楽器の自動演奏方法。
【請求項１２】
前記打撃手段による前記発音部への打撃力に関する出力値の変化に対応させて前記ＯＮ／ＯＦＦの時間間隔を変化させることを特徴とする請求項１０に記載の打楽器の自動演奏方法。
【請求項１３】
前記駆動手段を前記打撃手段の複数カ所に設け、複数の前記駆動手段のうち少なくとも一つの前記駆動手段の駆動開始時間が相対的に他の前記駆動手段の駆動開始時間よりも早くなるように、各前記駆動手段の駆動タイミングを調整することを特徴とする請求項１０〜１２のいずれかに記載の打楽器の自動演奏方法。
【請求項１４】
前記駆動手段の配置位置を変化させることで、前記打撃手段による前記発音部への打撃力又は打撃タイミング等を調整することを特徴とする請求項１０〜１３のいずれかに記載の打楽器の自動演奏方法。
【請求項１５】
前記楽曲データに基づく前記打楽器の楽曲の早さと前記制御手段の音符の分解精度との比に、前記打楽器ごとの種類に応じて設定された設定値を積算することで、前記ＯＮ／ＯＦＦの時間間隔を求めることを特徴とする請求項１０〜１４のいずれかに記載の打楽器の自動演奏装置。
【手続補正２】
【補正対象書類名】明細書
【補正対象項目名】００１３
【補正方法】変更
【補正の内容】
【００１３】
また、請求項３に記載するように、前記打撃力に関する出力値の変化に対応させて前記ゲートタイムを変化させるゲートタイム調整手段を設けてもよい。この場合、例えば打撃力を指定するベロシティ値（Ｖ）の最大値（例えば１２７）を１００％とし、ベロシティ値を５０％に変化させたらこの変化の割合に応じてゲートタイムも変化させるようにしてもよい。
このようにすることで、より生に近い打楽器の演奏を実現することが可能になる。
請求項４に記載するように、前記打撃手段を、前記駆動手段とは別の復帰手段によりに復帰させるようにしてもよいし、請求項５に記載するように、前記打撃手段は、基部で支軸によって回動自在に支持されているとともに回動動作がガイドによって案内され、前記駆動手段は、前記支軸よりも先端側で前記打撃手段を前記発音部に向けて押すものとしてもよい。
【手続補正３】
【補正対象書類名】明細書
【補正対象項目名】００１４
【補正方法】変更
【補正の内容】
【００１４】
請求項６に記載するように、前記駆動手段は前記打撃手段の複数カ所に設けてもよい。そして、請求項７に記載するように、複数の前記駆動手段のうち少なくとも一つの前記駆動手段の駆動開始時間が相対的に他の前記駆動手段の駆動開始時間よりも早くなるように、各前記駆動手段の駆動タイミングを調整する駆動タイミング調整手段を設けることで、打撃手段の動きを多様化させることができる。また、請求項８に記載するように前記駆動手段の位置を調整自在に設けることで、打撃力や打撃タイミングを調整することができ、上記の手段と組み合わせることで、さらに多様な演奏を行うことが可能になる。
【手続補正４】
【補正対象書類名】明細書
【補正対象項目名】００１５
【補正方法】変更
【補正の内容】
【００１５】
本発明において、指定された打楽器のゲートタイムは、請求項９に記載するように、前記楽曲データに基づく前記打楽器の楽曲の早さと前記制御手段の音符の分解精度との比に、前記打楽器ごとの種類に応じて設定された設定値を積算することで求めるようにしてもよい。例えば、ある打楽器の楽曲の早さが四分音符（１２０回／分＝５００ｍｓ／回））である場合において制御手段の音符の分解精度が４８０である場合、５００／４８０に打楽器ごとに設定された設定値（例えば２０）を積算することで、約２０ｍｓと求めることができる。このようなゲートタイムの演算は、制御手段と一体又は別体のゲートタイム演算手段によって行うことができる。
【手続補正５】
【補正対象書類名】明細書
【補正対象項目名】００１６
【補正方法】変更
【補正の内容】
【００１６】
本発明の自動演奏方法は、請求項１０に記載するように、楽曲データに基づいて打楽器の自動演奏を行なう打楽器の演奏方法において、打楽器の発音部を打撃して発音させる打撃手段と、この打撃手段を駆動させて前記発音部を打撃させる駆動手段と、前記前記楽曲データに基づいて前記駆動手段へ駆動指令信号を出力する制御手段とを準備し、前記制御手段から出力される前記駆動指令信号にＯＮ／ＯＦＦの時間間隔（ゲートタイム）を付与することで、前記発音部からの発音を調整する方法としてある
前記打撃手段による前記発音部への打撃力は、請求項１１に記載するように一定に維持したままとしてもよい。請求項１２に記載するように前記打撃力に関する出力値の変化に対応させて前記ＯＮ／ＯＦＦの時間間隔を変化させるようにしてもよい。
【手続補正６】
【補正対象書類名】明細書
【補正対象項目名】００１７
【補正方法】変更
【補正の内容】
【００１７】
また、請求項１３に記載するように、前記駆動手段を前記打撃手段の複数カ所に設け、複数の前記駆動手段のうち少なくとも一つの前記駆動手段の駆動開始時間が相対的に他の前記駆動手段の駆動開始時間よりも早くなるように、各前記駆動手段の駆動タイミングを調整するようにしてもよい。このようにすることで、より多様で複雑な演奏が可能になる。
また、請求項１４に記載するように、前記駆動手段の配置位置を変化させるようにすれば、打撃力や打撃タイミング等を調整することが可能になり、上記の手段と組み合わせることで、さらに多様な演奏を行うことが可能になる。
本発明において、指定された打楽器のＯＮ／ＯＦＦの時間間隔は、例えば請求項１５に記載するように、前記楽曲データに基づく前記打楽器の楽曲の早さと前記制御手段の音符の分解精度との比に、前記打楽器ごとの種類に応じて設定された設定値を積算することで求めるようにしてもよい。